(57)【要約】【課題】レンズ全長の短縮化及びレンズ鏡筒径の小型化を図りつつ、全ズーム範囲及び防振時にわたり高い光学性能が容易に得られるズームレンズ及びそれを有する撮像装置、撮像システムを提供すること。【解決手段】物体側から像側へ順に配置された、正の屈折力の第１レンズ群、負の屈折力の第２レンズ群、正の屈折力の第３レンズ群、正の屈折力の第４レンズ群を有し、ズーミングに際して隣り合うレンズ群の間隔が変化するとともに、第１レンズ群乃至第４レンズ群の各群が移動するズームレンズであって、第３レンズ群内の全体として負の屈折力を有する部分群を光軸に対して垂直に移動させて像ぶれ補正をし、第２レンズ群の焦点距離、第３レンズ群の焦点距離、第４レンズ群の焦点距離、第４レンズ群の広角端と望遠端における横倍率を各々適切に設定すること。【選択図】図１
2020129065.tif 000002
【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群を有し、ズーミングに際して隣り合うレンズ群の間隔が変化するとともに、第１レンズ群乃至第４レンズ群の各群が移動するズームレンズであって、
第３レンズ群内の全体として負の屈折力を有する部分群を光軸に対して垂直に移動させて像ぶれ補正をし、
前記第２レンズ群の焦点距離をｆ２、前記第３レンズ群の焦点距離をｆ３、前記第４レンズ群の焦点距離をｆ４、前記第４レンズ群の広角端と望遠端における横倍率をそれぞれβ４ｗ、β４ｔとするとき、
０．２＜ｆ２２／（ｆ３×ｆ４）＜１．０
２．０＜β４ｔ／β４ｗ＜１０．０
なる条件式を満足することを特徴とするズームレンズ。
【請求項２】
前記第２レンズ群の焦点距離をｆ２、前記ズームレンズの広角端における焦点距離をｆｗとするとき、
−１．５＜ｆ２／ｆｗ＜−０．５
なる条件式を満足することを特徴とする請求項１に記載のズームレンズ。
【請求項３】
前記第１レンズ群の焦点距離をｆ１、前記ズームレンズの広角端における焦点距離をｆｗとするとき、
２．０＜ｆ１／ｆｗ＜１０．０
なる条件式を満足することを特徴とする請求項１または２に記載のズームレンズ。
【請求項４】
前記ズームレンズの望遠端における焦点距離をｆｔとするとき、
０．１＜ｆ４／ｆｔ＜０．７
なる条件式を満足することを特徴とする請求項１乃至３のいずれか１項に記載のズームレンズ。
【請求項５】
広角端における最も物体側のレンズの物体側面から像面までの距離をＴＴＤｗ、広角端におけるバックフォーカスをｓｋｗとするとき、
３．０＜ＴＴＤｗ／ｓｋｗ＜２０．０
なる条件式を満足することを特徴とする請求項１乃至４のいずれか１項に記載のズームレンズ。
【請求項６】
広角端から望遠端までのズーミングにおける、前記第３レンズ群の移動量をｍ３、前記第４レンズ群の移動量をｍ４とするとき、
０．３＜ｍ３／ｍ４＜１．０
なる条件式を満足することを特徴とする請求項１乃至５のいずれか１項に記載のズームレンズ。
【請求項７】
前記ズームレンズの広角端における焦点距離をｆｗとするとき、
１．５＜ｆ３／ｆｗ＜８．０
なる条件式を満足することを特徴とする請求項１乃至６のいずれか１項に記載のズームレンズ。
【請求項８】
前記部分群の焦点距離をｆｉｓとするとき、
−１０．０＜ｆｉｓ／ｆ３＜−０．５
なる条件式を満足することを特徴とする請求項１乃至７のいずれか１項に記載のズームレンズ。
【請求項９】
前記部分群の望遠端における横倍率をβｉｓｔ、前記部分群より像側の全てのレンズ群の望遠端における合成横倍率をβｒｔとするとき、
−３．０＜（１−βｉｓｔ）βｒｔ＜−０．３５
なる条件式を満足することを特徴とする請求項１乃至８のいずれか１項に記載のズームレンズ。
【請求項１０】
前記部分群は、負レンズと正レンズを含む２枚のレンズから構成されることを特徴とする請求項１乃至９のいずれか１項に記載のズームレンズ。
【請求項１１】
前記部分群は、物体側から像側へ順に負レンズと正レンズの接合レンズから構成されることを特徴とする請求項１０に記載のズームレンズ。
【請求項１２】
物体側から像側へ順に配置された負の屈折力の第５レンズ群、正の屈折力の第６レンズ群を有することを特徴とする請求項１乃至１１のいずれか１項に記載のズームレンズ。
【請求項１３】
物体側から像側へ順に配置された負の屈折力の第５レンズ群、負の屈折力の第６レンズ群を有することを特徴とする請求項１乃至１１のいずれか１項に記載のズームレンズ。
【請求項１４】
物体側から像側へ順に配置された負の屈折力の第５レンズ群、負の屈折力の第６レンズ群、正の屈折力の第７レンズ群を有することを特徴とする請求項１乃至１１のいずれか１項に記載のズームレンズ。
【請求項１５】
前記ズームレンズは、前記第４レンズ群より像側のレンズ群でフォーカシングを行うことを特徴とする請求項１２乃至１４のいずれか１項に記載のズームレンズ。
【請求項１６】
請求項１乃至１５のいずれか１項に記載のズームレンズと、該ズームレンズによって形成される像を受光する固体撮像素子を有することを特徴とする撮像装置。
【請求項１７】
請求項１乃至１５のいずれか１項に記載のズームレンズと、ズーミングに際して前記ズームレンズを制御する制御部を有することを特徴とする撮像システム。
【請求項１８】
前記制御部は、前記ズームレンズとは別体として構成されており、前記ズームレンズを制御するための制御信号を送信する送信部を有することを特徴とする請求項１７に記載の撮像システム。
【請求項１９】
前記制御部は、前記ズームレンズとは別体として構成されており、前記ズームレンズを操作するための操作部を有することを特徴とする請求項１７または１８に記載の撮像システム。
【請求項２０】
前記ズームレンズのズームに関する情報を表示する表示部を有することを特徴とする請求項１７乃至１９のいずれか１項に記載の撮像システム。
【発明の詳細な説明】
【技術分野】
【０００１】
本発明は、ズームレンズ及びそれを有する撮像装置、撮像システムに関し、例えばデジタルスチルカメラ、ビデオカメラ、監視カメラ、放送用カメラ等の撮像装置に用いる撮像光学系として好適なものである。
【背景技術】
【０００２】
近年、撮像装置は高機能化され、かつ装置全体が小型化されている。それに伴い、撮像装置に用いられる撮像光学系には、明るいＦナンバーを有し、レンズ全長が短く、レンズ鏡筒径が小さく、ズーム全域で高解像力を有するズームレンズであることが望まれている。更に、ズームレンズが振動したときに発生する像ぶれ（手振れ）を補償する機構（防振機構）を具備していることが要望されている。
【０００３】
ポジティブリード型レンズにおいて、ズームレンズ中の一部のレンズ群を光軸に対して略垂直に移動させて像ぶれを補償する防振機能を有するズームレンズが知られている（特許文献１及び特許文献２参照）。特許文献１では、物体側から像側へ順に、正、負、正、正の屈折力の第１レンズ群乃至第４レンズ群より構成され、ズーミングに際して隣り合うレンズ群の間隔が変化し、第３レンズ群の負の屈折力の後群で像ぶれ補正を行うズームレンズを開示している。特許文献２では、物体側から像側へ順に、正、負、正、負、正、正の屈折力の第１レンズ群乃至第６レンズ群より構成され、ズーミングに際して隣り合うレンズ群の間隔が変化し、第４レンズ群で像ぶれ補正を行うズームレンズを開示している。
【０００４】
また、レンズ全長の短縮化とレンズ鏡筒径の小型化のために、バックフォーカスを短く設定し、レンズ最終面から像面までの間にメカニカルな部材を除いた、いわゆるミラーレスタイプの撮像光学系が提案されている（特許文献３参照）。特許文献３では、物体側から像側へ順に、正、負、正、正、正の屈折力の第１レンズ群乃至第５レンズ群より構成され、ズーミングに際して隣り合うレンズ群の間隔が変化し、第５レンズ群の負の屈折力の前群で像ぶれ補正を行うズームレンズを開示している。
【先行技術文献】
【特許文献】
【０００５】
【特許文献１】特開２０１５−１１８２１４号公報
【特許文献２】特開２０１６−３８５０２号公報
【特許文献３】特開２０１７−２１１４９６号公報
【発明の概要】
【発明が解決しようとする課題】
【０００６】
近年、撮像装置に用いられるズームレンズには、所定のズーム比を有し、防振機構を有しながらレンズ全長の短縮化とレンズ鏡筒径の小型化を実現し、防振時の収差変動が少ない等が強く要望されている。
【０００７】
ポジティブリード型のズームレンズにおいて、防振機構を有しながらレンズ全長の短縮化とレンズ鏡筒径の小型化を実現し、かつ、高い防振性能を得るためには、各レンズ群の屈折力を高め、防振群を適切に設定する必要がある。特に、防振群は、メカ構造を含めるとレンズ鏡筒径に大きく影響する。このため、防振群のレンズ径や防振時の光軸に対して垂直に移動する量を小さくすることが重要となる。特に、大口径比のズームレンズでは、防振群の光軸方向の配置設定は外径や質量を決める重要な要素となる。
【０００８】
防振群の選定が不適切であると、防振時の収差変動が大きくなるばかりでなく、レンズ組み立て時に発生する防振群の倒れ誤差による光学性能の劣化が顕著になり、ズーム全域における良好な光学性能を得ることが難しくなる。
【０００９】
所定のズーム比を有し、防振時の収差変動が少なく、全ズーム範囲にわたり高い光学性能を有する小型のズームレンズを得るには、レンズ群の数や各レンズ群の屈折力等を適切に設定することが重要である。
【００１０】
本発明は、レンズ全長の短縮化及びレンズ鏡筒径の小型化を図りつつ、全ズーム範囲及び防振時にわたり高い光学性能が容易に得られるズームレンズ及びそれを備える撮像装置、撮像システムを提供することを目的とする。
【課題を解決するための手段】
【００１１】
本発明の一側面としてのズームレンズは、物体側から像側へ順に配置された、正の屈折力の第１レンズ群、負の屈折力の第２レンズ群、正の屈折力の第３レンズ群、正の屈折力の第４レンズ群を有し、ズーミングに際して隣り合うレンズ群の間隔が変化するとともに、第１レンズ群乃至第４レンズ群の各群が移動するズームレンズであって、第３レンズ群内の全体として負の屈折力を有する部分群を光軸に対して垂直に移動させて像ぶれ補正をし、第２レンズ群の焦点距離をｆ２、第３レンズ群の焦点距離をｆ３、第４レンズ群の焦点距離をｆ４、第４レンズ群の広角端と望遠端における横倍率をそれぞれβ４ｗ、β４ｔとするとき、
０．２＜ｆ２２／（ｆ３×ｆ４）＜１．０
２．０＜β４ｔ／β４ｗ＜１０．０
なる条件式を満足することを特徴とするズームレンズ。
【発明の効果】
【００１２】
本発明によれば、レンズ全長の短縮化及びレンズ鏡筒径の小型化を図りつつ、全ズーム範囲及び防振時にわたり高い光学性能が容易に得られるズームレンズ及びそれを有する撮像装置、撮像システムを提供することができる。
【図面の簡単な説明】
【００１３】
【図１】実施例１のズームレンズの広角端におけるレンズ断面図である。
【図２】（Ａ）、（Ｂ）、（Ｃ）  実施例１の広角端、中間ズーム位置、望遠端における縦収差図である。
【図３】（Ａ）、（Ｂ）、（Ｃ）  実施例１の広角端、中間ズーム位置、望遠端における横収差図である。
【図４】（Ａ）、（Ｂ）、（Ｃ）  実施例１の広角端、中間ズーム位置、望遠端における０．３度防振時の横収差図である。
【図５】実施例２のズームレンズの広角端におけるレンズ断面図である。
【図６】（Ａ）、（Ｂ）、（Ｃ）  実施例２の広角端、中間ズーム位置、望遠端における縦収差図である。
【図７】（Ａ）、（Ｂ）、（Ｃ）  実施例２の広角端、中間ズーム位置、望遠端における横収差図である。
【図８】（Ａ）、（Ｂ）、（Ｃ）  実施例２の広角端、中間ズーム位置、望遠端における０．３度防振時の横収差図である。
【図９】実施例３のズームレンズの広角端におけるレンズ断面図である。
【図１０】（Ａ）、（Ｂ）、（Ｃ）  実施例３の広角端、中間ズーム位置、望遠端における縦収差図である。
【図１１】（Ａ）、（Ｂ）、（Ｃ）  実施例３の広角端、中間ズーム位置、望遠端における横収差図である。
【図１２】（Ａ）、（Ｂ）、（Ｃ）  実施例３の広角端、中間ズーム位置、望遠端における０．３度防振時の横収差図である。
【図１３】実施例４のズームレンズの広角端におけるレンズ断面図である。
【図１４】（Ａ）、（Ｂ）、（Ｃ）  実施例４の広角端、中間ズーム位置、望遠端における縦収差図である。
【図１５】（Ａ）、（Ｂ）、（Ｃ）  実施例４の広角端、中間ズーム位置、望遠端における横収差図である。
【図１６】（Ａ）、（Ｂ）、（Ｃ）  実施例４の広角端、中間ズーム位置、望遠端における０．３度防振時の横収差図である。
【図１７】実施例５のズームレンズの広角端におけるレンズ断面図である。
【図１８】（Ａ）、（Ｂ）、（Ｃ）  実施例５の広角端、中間ズーム位置、望遠端における縦収差図である。
【図１９】（Ａ）、（Ｂ）、（Ｃ）  実施例５の広角端、中間ズーム位置、望遠端における横収差図である。
【図２０】（Ａ）、（Ｂ）、（Ｃ）  実施例５の広角端、中間ズーム位置、望遠端における０．３度防振時の横収差図である。
【図２１】実施例６のズームレンズの広角端におけるレンズ断面図である。
【図２２】（Ａ）、（Ｂ）、（Ｃ）  実施例６の広角端、中間ズーム位置、望遠端における縦収差図である。
【図２３】（Ａ）、（Ｂ）、（Ｃ）  実施例６の広角端、中間ズーム位置、望遠端における横収差図である。
【図２４】（Ａ）、（Ｂ）、（Ｃ）  実施例６の広角端、中間ズーム位置、望遠端における０．３度防振時の横収差図である。
【図２５】実施例７のズームレンズの広角端におけるレンズ断面図である。
【図２６】（Ａ）、（Ｂ）、（Ｃ）  実施例７の広角端、中間ズーム位置、望遠端における縦収差図である。
【図２７】（Ａ）、（Ｂ）、（Ｃ）  実施例７の広角端、中間ズーム位置、望遠端における横収差図である。
【図２８】（Ａ）、（Ｂ）、（Ｃ）  実施例７の広角端、中間ズーム位置、望遠端における０．３度防振時の横収差図である。
【図２９】本発明の撮像装置の要部概略図である。
【発明を実施するための形態】
【００１４】
以下、本発明の実施例について、図面を参照しながら詳細に説明する。各図において、同一の部材については同一の参照番号を付し、重複する説明は省略する。
【００１５】
本発明のズームレンズは、物体側から像側へ順に配置された、正の屈折力の第１レンズ群、負の屈折力の第２レンズ群、正の屈折力の第３レンズ群、正の屈折力の第４レンズ群を有する。また、ズーミングに際して隣り合うレンズ群の間隔が変化するとともに、第１レンズ群乃至第４レンズ群の各レンズ群が移動する。また、第３レンズ群内の全体として負の屈折力を有する部分群を光軸に対して垂直に移動させて像ぶれ補正をする。
【００１６】
図１は、実施例１のズームレンズの広角端（短焦点距離端）におけるレンズ断面図である。図２（Ａ）、（Ｂ）、（Ｃ）はそれぞれ、実施例１の無限遠に合焦（フォーカス）した状態での、広角端、中間ズーム位置、望遠端（長焦点距離端）における縦収差図である。図３（Ａ）、（Ｂ）、（Ｃ）はそれぞれ、実施例１の広角端、中間ズーム位置、望遠端における横収差図である。図４（Ａ）、（Ｂ）、（Ｃ）はそれぞれ、実施例１の０．３度防振時の広角端、中間ズーム位置、望遠端における横収差図である。実施例１のズームレンズは、ズーム比２．７４、Ｆナンバー２．９１のズームレンズである。
【００１７】
図５は、実施例２のズームレンズの広角端におけるレンズ断面図である。図６（Ａ）、（Ｂ）、（Ｃ）はそれぞれ、実施例２の無限遠に合焦した状態での、広角端、中間ズーム位置、望遠端における縦収差図である。図７（Ａ）、（Ｂ）、（Ｃ）はそれぞれ、実施例２の広角端、中間ズーム位置、望遠端における横収差図である。図８（Ａ）、（Ｂ）、（Ｃ）はそれぞれ、実施例２の０．３度防振時の広角端、中間ズーム位置、望遠端における横収差図である。実施例２のズームレンズは、ズーム比２．７５、Ｆナンバー２．９１のズームレンズである。
【００１８】
図９は、実施例３のズームレンズの広角端におけるレンズ断面図である。図１０（Ａ）、（Ｂ）、（Ｃ）はそれぞれ、実施例３の無限遠に合焦した状態での、広角端、中間ズーム位置、望遠端における縦収差図である。図１１（Ａ）、（Ｂ）、（Ｃ）はそれぞれ、実施例３の広角端、中間ズーム位置、望遠端における横収差図である。図１２（Ａ）、（Ｂ）、（Ｃ）はそれぞれ、実施例３の０．３度防振時の広角端、中間ズーム位置、望遠端における横収差図である。実施例３のズームレンズは、ズーム比２．７５、Ｆナンバー２．９１のズームレンズである。
【００１９】
図１３は、実施例４のズームレンズの広角端におけるレンズ断面図である。図１４（Ａ）、（Ｂ）、（Ｃ）はそれぞれ、実施例４の無限遠に合焦した状態での、広角端、中間ズーム位置、望遠端における縦収差図である。図１５（Ａ）、（Ｂ）、（Ｃ）はそれぞれ、実施例４の広角端、中間ズーム位置、望遠端における横収差図である。図１６（Ａ）、（Ｂ）、（Ｃ）はそれぞれ、実施例４の０．３度防振時の広角端、中間ズーム位置、望遠端における横収差図である。実施例４のズームレンズは、ズーム比４．１３、Ｆナンバー４．１２のズームレンズである。
【００２０】
図１７は、実施例５のズームレンズの広角端におけるレンズ断面図である。図１８（Ａ）、（Ｂ）、（Ｃ）はそれぞれ、実施例５の無限遠に合焦した状態での、広角端、中間ズーム位置、望遠端における縦収差図である。図１９（Ａ）、（Ｂ）、（Ｃ）はそれぞれ、実施例５の広角端、中間ズーム位置、望遠端における横収差図である。図２０（Ａ）、（Ｂ）、（Ｃ）はそれぞれ、実施例５の０．３度防振時の広角端、中間ズーム位置、望遠端における横収差図である。実施例５のズームレンズは、ズーム比２．９１、Ｆナンバー２．９１のズームレンズである。
【００２１】
図２１は、実施例６のズームレンズの広角端におけるレンズ断面図である。図２２（Ａ）、（Ｂ）、（Ｃ）はそれぞれ、実施例６の無限遠に合焦した状態での、広角端、中間ズーム位置、望遠端における縦収差図である。図２３（Ａ）、（Ｂ）、（Ｃ）はそれぞれ、実施例６の広角端、中間ズーム位置、望遠端における横収差図である。図２４（Ａ）、（Ｂ）、（Ｃ）はそれぞれ、実施例６の０．３度防振時の広角端、中間ズーム位置、望遠端における横収差図である。実施例６のズームレンズは、ズーム比２．９１、Ｆナンバー２．９１のズームレンズである。
【００２２】
図２５は、実施例７のズームレンズの広角端におけるレンズ断面図である。図２６（Ａ）、（Ｂ）、（Ｃ）はそれぞれ、実施例７の無限遠に合焦した状態での、広角端、中間ズーム位置、望遠端における縦収差図である。図２７（Ａ）、（Ｂ）、（Ｃ）はそれぞれ、実施例７の広角端、中間ズーム位置、望遠端における横収差図である。図２８（Ａ）、（Ｂ）、（Ｃ）はそれぞれ、実施例７の０．３度防振時の広角端、中間ズーム位置、望遠端における横収差図である。実施例７のズームレンズは、ズーム比２．９１、Ｆナンバー２．９１のズームレンズである。
【００２３】
各実施例のズームレンズはデジタルスチルカメラ、ビデオカメラ、ＴＶカメラ等の撮像装置に用いられる撮像光学系である。なお、各実施例のズームレンズは、投射装置（プロジェクタ）用の投射光学系として用いることもできる。
【００２４】
各レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。ＬＲは後群である。ＬＮは後群ＬＲに含まれる負の屈折力のレンズ群である。
【００２５】
ＳＰは開放Ｆナンバー（Ｆｎｏ）の光束を決定（制限）する開口絞りである。ＩＳは防振群である。ＩＰは像面であり、各実施例のズームレンズＬ０をデジタルスチルカメラやビデオカメラの撮影光学系として使用する際にはＣＣＤセンサやＣＭＯＳセンサ等の固体撮像素子（光電変換素子）の撮像面が置かれる。矢印は広角端から望遠端へのズーミングに際しての各レンズ群の移動軌跡を示す。
【００２６】
フォーカス（ＦＯＣＵＳ）に関する矢印は無限遠から近距離へのフォーカシングに際してのレンズ群の移動方向を示している。
【００２７】
収差図においてＦｎｏはＦナンバー、ωは半画角（度）であり、光線追跡値による画角である。球面収差図において、ｄ線（波長５８７．６ｎｍ）、ｇ線（波長４３５．８ｎｍ）に対する球面収差量を示している。非点収差図において、ΔＳはｄ線におけるサジタル像面、破線のΔＭはｄ線におけるメリディオナル像面である。歪曲収差図において、ｄ線に対する歪曲収差量を示している。色収差図において、ｇ線における色収差量を示している。
【００２８】
各実施例のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４を有する。また、実施例１乃至実施例６のズームレンズＬ０は、第４レンズ群より像側に後群ＬＲを有する。第３レンズ群Ｌ３内の全体として負の屈折力を有する部分群である防振群ＩＳを光軸に対して垂直に移動させることで、像ぶれ（手振れ）を補償している。また、フォーカシングに際して第Ｎレンズ群ＬＮが移動する。
【００２９】
ポジティブリード型のズームレンズにおいて、バックフォーカスを有効に使い、レンズ全長を短くするには、開口絞りＳＰより物体側に配置した負の屈折力のレンズ群の負の屈折力をある程度弱くすればよい。更に、開口絞りＳＰより像側に配置した正の屈折力のレンズ群の正の屈折力を強くすればよい。このように設定することで、ズーム全域で良好な光学性能を容易に確保することができる。
【００３０】
また、大口径比のズームレンズにおいて、レンズ全長の短縮化及びレンズ鏡筒径の小型化を図りつつ、良好な防振性能を得るためには、第３レンズ群Ｌ３の防振群ＩＳで防振を行うことが有効である。特に開口比（Ｆナンバー）が２．８を超えるズームレンズでは有効である。
【００３１】
また、主変倍レンズ群である第２レンズ群Ｌ２の負の屈折力を比較的弱めに設定し、第３レンズ群の正の屈折力を強めることで防振群ＩＳへの光束幅を縮めることができ、防振群ＩＳの小型化に有利である。
【００３２】
次に各実施例のレンズ構成について説明する。
【００３３】
実施例１のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる６群ズームレンズである。第３レンズ群Ｌ３内には、負レンズと正レンズからなる接合レンズであり、全体として負の屈折力を有する防振群ＩＳと、開口絞りＳＰが設けられている。後群ＬＲは、負の屈折力の第５レンズ群Ｌ５と正の屈折力の第６レンズ群Ｌ６より構成されている。第５レンズ群Ｌ５は、無限遠から至近距離へのフォーカシングに際して像側に移動する第Ｎレンズ群ＬＮである。
【００３４】
広角端から望遠端へのズーミングに際して、第１レンズ群Ｌ１が物体側に直線的に移動、第２レンズ群Ｌ２が像側に凸状の軌跡で移動する。また、第３レンズ群Ｌ３と第４レンズ群Ｌ４は間隔が狭まるように物体側に移動する。
【００３５】
実施例２において、レンズ群の数、各レンズ群の屈折力の符号、ズーミングに際しての各レンズ群の移動条件等のズームタイプは実施例１と同じである。また、防振群やフォーカシングに際して移動するレンズ群及び移動方向等のフォーカス方式は実施例１と同じである。
【００３６】
実施例３のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６からなる６群ズームレンズである。第３レンズ群Ｌ３内には、負レンズと正レンズからなる接合レンズであり、全体として負の屈折力を有する防振群ＩＳと、開口絞りＳＰが設けられている。後群ＬＲは、負の屈折力の第５レンズ群Ｌ５と負の屈折力の第６レンズ群Ｌ６より構成されている。第５レンズ群Ｌ５は、無限遠から至近距離へのフォーカシングに際して像側に移動する第Ｎレンズ群ＬＮである。
【００３７】
広角端から望遠端へのズーミングに際して、第１レンズ群Ｌ１が物体側に直線に移動、第２レンズ群Ｌ２が像側に凸状の軌跡で移動する。また、第３レンズ群Ｌ３と第４レンズ群Ｌ４は間隔が狭まるように物体側に移動する。
【００３８】
実施例４において、ズームタイプは実施例３と同じである。また、防振群やフォーカシングに際して移動するレンズ群及び移動方向等のフォーカス方式は実施例３と同じである。
【００３９】
実施例５のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６、正の屈折力の第７レンズ群Ｌ７からなる７群ズームレンズである。第３レンズ群Ｌ３内には、負レンズと正レンズからなる接合レンズであり、全体として負の屈折力を有する防振群ＩＳと、開口絞りＳＰが設けられている。後群ＬＲは、負の屈折力の第５レンズ群Ｌ５と負の屈折力の第６レンズ群Ｌ６と正の屈折力の第７レンズ群より構成されている。第５レンズ群Ｌ５は、無限遠から至近距離へのフォーカシングに際して像側に移動する第Ｎレンズ群ＬＮである。
【００４０】
広角端から望遠端へのズーミングに際して、第１レンズ群Ｌ１が物体側に直線的に移動、第２レンズ群Ｌ２が像側に凸状の軌跡で移動する。また、第３レンズ群Ｌ３と第４レンズ群Ｌ４は間隔が狭まるように物体側に移動する。また、第５レンズ群Ｌ５乃至第７レンズ群Ｌ７は、ズーミングに際してそれぞれ異なった軌跡を描いて物体側に移動する。
【００４１】
実施例６のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる６群ズームレンズである。第３レンズ群Ｌ３内には、負レンズと正レンズからなる接合レンズであり、全体として負の屈折力を有する防振群ＩＳと、開口絞りＳＰが設けられている。また、防振群ＩＳの像側には、正の屈折力を有する部分群が配置されている。後群ＬＲは、負の屈折力の第５レンズ群Ｌ５と正の屈折力の第６レンズ群Ｌ６より構成されている。第５レンズ群Ｌ５は、無限遠から至近距離へのフォーカシングに際して像側に移動する第Ｎレンズ群ＬＮである。
【００４２】
広角端から望遠端へのズーミングに際して、第１レンズ群Ｌ１が物体側に直線的に移動、第２レンズ群Ｌ２が像側に凸状の軌跡で移動する。また、第３レンズ群Ｌ３と第４レンズ群Ｌ４は間隔が狭まるように物体側に移動する。
【００４３】
実施例７のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４からなる４群ズームレンズである。第２レンズ群Ｌ２は、無限遠から至近距離へのフォーカシングに際して物体側に移動するフォーカス群である。第３レンズ群Ｌ３内には、負レンズと正レンズからなる接合レンズであり、全体として負の屈折力を有する防振群ＩＳと、開口絞りＳＰが設けられている。
【００４４】
各実施例のズームレンズＬ０は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４を有する。ズーミングに際して隣り合うレンズ群の間隔が変化するとともに、第1レンズ群乃至第４レンズ群の各レンズ群が移動する。また、第３レンズ群Ｌ３内の防振群ＩＳが防振時に光軸に対して垂直に移動する。
【００４５】
第２レンズ群Ｌ２の焦点距離をｆ２、第３レンズ群Ｌ３の焦点距離をｆ３、第４レンズ群Ｌ４の焦点距離をｆ４、第４レンズ群Ｌ４の広角端と望遠端における横倍率をそれぞれβ４ｗ、β４ｔとする。このとき、
０．２＜ｆ２２／（ｆ３×ｆ４）＜１．０              （１）
２．０＜β４ｔ／β４ｗ＜１０．０                    （２）
なる条件式を満足する。
【００４６】
次に、条件式（１）、（２）の技術的意味について説明する。条件式（１）は、レンズ全長の短縮化および防振群ＩＳの小型化を図るために、第２レンズ群Ｌ２、第３レンズ群Ｌ３、第４レンズ群Ｌ４の焦点距離を設定したものである。
【００４７】
条件式（１）の上限値を超えて、負の焦点距離ｆ２が大きくなると第２レンズ群Ｌ２の負の屈折力が弱まりすぎ、所望のバックフォーカスを確保することが困難になる。また、第２レンズ群Ｌ２の負の屈折力が弱まりすぎると、レンズ全系のペッツバール和が大きな正の値をとり、像面湾曲や非点収差の補正が難しくなる。
【００４８】
また、条件式（１）の上限値を超えて、第３レンズ群Ｌ３の焦点距離ｆ３と第４レンズ群Ｌ４の焦点距離ｆ４が短くなると、第３レンズ群Ｌ３と第４レンズ群Ｌ４の正の屈折力が強まりすぎ、ズーミングに際する像面の変動を補正することが困難になる。
【００４９】
条件式（１）の下限値を超えて、負の焦点距離ｆ２が小さくなると第２レンズ群Ｌ２の負の屈折力が強まりすぎ、第３レンズ群Ｌ３での光束径が大きくなるため、特に大口径比のズームレンズにおいては望遠端での高次の球面収差の補正が困難になる。また、第２レンズ群Ｌ２の負の屈折力が強まりすぎると、バックフォーカスが長くなり、レンズ全長の短縮化の観点から好ましくない。
【００５０】
また、条件式（１）の下限値を超えて、第３レンズ群Ｌ３と第４レンズ群Ｌ４の焦点距離が大きくなると、第３レンズ群Ｌ３と第４レンズ群Ｌ４の正の屈折力が弱まりすぎ、所望のズーム比を得るためには大きな移動量を確保せねばならず、レンズ全長の短縮化の観点から好ましくない。
【００５１】
条件式（２）は、防振群ＩＳの小径化を図るために、第４レンズ群Ｌ４の広角端における横倍率β４ｗと望遠端における横倍率β４ｔの比（ズーミングの変倍分担値）を設定したものである。
【００５２】
条件式（２）の上限値を超えて、第４レンズ群Ｌ４の変倍分担比が大きくなると、防振群ＩＳより像側で後続する各群の小径化には有利であるが、第４レンズ群Ｌ４の正の屈折力が強まり、球面収差補正やズーミングに際する像面変動抑制が困難になる。また、第４レンズ群Ｌ４のズーミングに際する移動量を大きく確保せねばならず、レンズ全長の短縮化の観点から好ましくない。また、第３レンズ群Ｌ３の変倍分担比が相対的に小さくなり、第３レンズ群Ｌ３の正の屈折力が不足するために、防振群ＩＳの小型化の観点から好ましくない。
【００５３】
条件式（２）の下限値を超えて、第４レンズ群Ｌ４の変倍分分担比が小さくなると、所望のズーム比を得るために、第３レンズ群Ｌ３などの他の群の変倍分担比を上げる必要があり、各群の群内での収差補正が困難になる。また、相対的に第３レンズ群Ｌ３の正の屈折力を強めることができ、防振群ＩＳの小型化には有利であるが、防振時のコマ収差の変動などが大きくなりすぎ、防振性能確保の観点から好ましくない。
【００５４】
各実施例において以下の条件式のうち１つ以上を満足することが好ましい。ズームレンズＬ０の広角端および望遠端における焦点距離をそれぞれｆｗ、ｆｔとする。第Ｎレンズ群の焦点距離をｆｆ、第１レンズ群Ｌ１の焦点距離をｆ１とする。広角端におけるバックフォーカスをｓｋｗとする。広角端における第１レンズ群Ｌ１の物体側面から像面までの距離をＴＴＤｗとする。第３レンズ群Ｌ３及び第４レンズ群Ｌ４の広角端から望遠端までのズーミングにおける移動量をそれぞれｍ３、ｍ４とする。防振群ＩＳの焦点距離をｆｉｓ、防振群ＩＳの望遠端における横倍率をβｉｓｔとする。防振群ＩＳより像側の全てのレンズ群の望遠端における合成横倍率をβｒｔとする。
【００５５】
−１．５＜ｆ２／ｆｗ＜−０．７                      （３）
２．０＜ｆ１／ｆｗ＜１０．０                        （４）
０．１＜ｆ４／ｆｔ＜０．７                          （５）
３．０＜ＴＴＤｗ／ｓｋｗ＜２０．０                  （６）
０．３＜ｍ３／ｍ４＜１．０                          （７）
１．５＜ｆ３／ｆｗ＜８．０                          （８）
−１０．０＜ｆｉｓ／ｆ３＜−０．５                  （９）
−３．０＜（１−βｉｓｔ）βｒｔ＜−０．３５        （１０）
次に、条件式（３）〜（１０）の技術的意味について説明する。条件式（３）は、主変倍レンズ群である負の屈折力の第２レンズ群Ｌ２の焦点距離ｆ２を適切に設定し、レンズ全長の短縮化を図りつつ、高い光学性能を得るためのものである。
【００５６】
条件式（３）の下限値を超えて、第２レンズ群Ｌ２の負の焦点距離ｆ２が長くなりすぎると、バックフォーカスは短くなるが、所望のズーム比を得るために、第２レンズ群Ｌ２の移動量が増加し、レンズ全長が増大する。また、全系の負の屈折力も弱まるため、ペッツバール和が正の方向へ強くなり、非点収差や像面湾曲が増加する。
【００５７】
また、条件式（３）の下限値を超えて、ズームレンズＬ０の広角端における焦点距離ｆｗが短くなると、広画角化のための開口絞りＳＰより物体側の負の屈折力が強まり、光学性能が低下し、更に前玉有効径が増加してしまう。
【００５８】
条件式（３）の上限値を超えて、第２レンズ群Ｌ２の負の焦点距離ｆ２が短くなりすぎると、第２レンズ群Ｌ２の負の屈折力が強くなりすぎ、第３レンズ群Ｌ３のレンズ外径が大きくなり、ズームレンズＬ０の小型化が困難になる。また、第２レンズ群Ｌ２の負の焦点距離ｆ２が短くなると、広角端におけるレンズ全長を短縮化するために、第３レンズ群Ｌ３以降の正の屈折力を必要以上に強くする必要があり、この結果、球面収差等の軸上の収差が増大し、この収差を補正することが難しくなる。
【００５９】
条件式（４）は、必要なズーム比を得るために、ズームレンズＬ０の広角端における焦点距離ｆｗと第１レンズ群Ｌ１の焦点距離ｆ１を規定している。
【００６０】
条件式（４）の上限値を超えて、第１レンズ群Ｌ１の正の焦点距離ｆ１が長くなると、広角端において倍率色収差の補正、望遠端において軸上色収差の補正は容易となる。しかしながらズーミングに際して第１レンズ群Ｌ１の移動量が大きくなり、レンズ全長が増大する。
【００６１】
条件式（４）の下限値を超えて、第１レンズ群Ｌ１の正の焦点距離ｆ１が短くなると、ズームレンズＬ０の小型化は容易となるが、少ないレンズ枚数で球面収差やコマ収差等を良好に補正することが困難になる。
【００６２】
また、条件式（４）の下限値を超えて、ズームレンズＬ０の広角端における焦点距離ｆｗが長くなると、所望のズーム比を確保することが困難になる。
【００６３】
条件式（５）は、必要なズーム比を得て、かつ、小型のフォーカスレンズ群を得るために、第４レンズ群Ｌ４の焦点距離ｆ４を規定している。
【００６４】
条件式（５）の上限値を超えて、第４レンズ群Ｌ４の焦点距離ｆ４が長くなると、第４レンズ群Ｌ４の正の屈折力が弱くなりすぎ、後続する第Ｎレンズ群ＬＮへの入射光束幅が大きくなり、第Ｎレンズ群ＬＮの小径化が難しくなる。また、所望のズーム倍率を得るために、第４レンズ群Ｌ４のズーミングにおける移動量を長く確保する必要があり、レンズ全長の短縮の観点から好ましくない。
【００６５】
また、条件式（５）の上限値を超えて、ズームレンズＬ０の望遠端における焦点距離ｆｔが短くなると、望遠端での所望の撮像画界を得ることが難しくなる。
【００６６】
条件式（５）の下限値を超えて、第４レンズ群Ｌ４の焦点距離ｆ４が短くなると、第４レンズ群Ｌ４の正の屈折力が強くなり、後続する第Ｎレンズ群ＬＮの小型化には寄与するものの、第４レンズ群Ｌ４で発生する収差が大きくなる。特に、球面収差を補正するために、第４レンズ群Ｌ４のレンズ枚数を増やす必要があり、ズームレンズＬ０の小型化の観点から好ましくない。
【００６７】
条件式（６）は、レンズ全長が短いズームレンズを得るためにレンズ全長とバックフォーカスを適切に設定する条件式である。
【００６８】
条件式（６）の上限値を超えて、広角端のレンズ全長が長くなると、レンズ全長の短縮化の観点から好ましくない。
【００６９】
また、条件式（６）の上限値を超えて、バックフォーカスｓｋｗが短くなると、ズームレンズとカメラとの接続部のメカ的な配置が困難になる。
【００７０】
条件式（６）の下限値を超えて、広角端のレンズ全長が短くなると、ズームレンズＬ０全体の正の屈折力が高くなりすぎ、ペッツバール和のコントロールが困難になり、所望の光学性能を得ることが困難になる。
【００７１】
また、条件式（６）の下限値を超えて、バックフォーカスｓｋｗが長くなると、レンズ全長の短縮化の観点から好ましくない。
【００７２】
条件式（７）は、ズーム全域で良好な光学性能を維持するために、第３レンズ群Ｌ３と第４レンズ群Ｌ４のズーミングにおける移動量の比を規定している。
【００７３】
条件式（７）の上限値を超えて、第３レンズ群Ｌ３の移動量ｍ３が長くなると、第３レンズＬ群Ｌ３と第４レンズ群Ｌ４が望遠端にかけて広がる方向へ移動し、所望のズーム比を得るためには好ましくない。
【００７４】
条件式（７）の下限値を超えて、第３レンズ群Ｌ３の移動量ｍ３が短くなると、ズーミングで発生する像面湾曲の変動を制御しやすくはなる。しかしながら、広角端において第３レンズ群Ｌ３と第４レンズ群Ｌ４を大きく離す必要があるため、レンズ全長の短縮化の観点から好ましくない。
【００７５】
条件式（８）は、レンズ全長を短縮化し、かつ、防振群ＩＳのレンズ径を小さくするために、第３レンズ群Ｌ３の屈折力を規定している。
【００７６】
条件式（８）の上限値を超えて、第３レンズ群Ｌ３の焦点距離ｆ３が長くなると、負の屈折力を有する防振群ＩＳに入る光束が十分に収斂しないため、防振群ＩＳのレンズ径が大型化し、ズームレンズＬ０の小型化の観点から好ましくない。また、所望のズーム倍率を得るために、第３レンズ群Ｌ３のズーミングにおける移動量を増やす必要があり、レンズ全長の短縮化の観点から好ましくない。
【００７７】
また、条件式（８）の上限値を超えて、ズームレンズＬ０の広角端における焦点距離ｆｗが短くなると、前玉径の大型化を招き、好ましくない。
【００７８】
条件式（８）の下限値を超えて、第３レンズ群Ｌ３の焦点距離ｆ３が短くなると、第３レンズ群Ｌ３の屈折力が強くなりすぎ、防振群ＩＳのレンズ径は小さくなるものの、第３レンズ群Ｌ３内で発生する球面収差やコマ収差がレンズ全系で補正できなくなる。また、防振群ＩＳに入射する光束も急峻な角度を持つため、防振性能を確保することが困難になる。
【００７９】
また、条件式（８）の下限値を超えて、ズームレンズＬ０の広角端における焦点距離ｆｗが長くなると、所望の広角端の画界を得ることが困難になる。
【００８０】
条件式（９）は、防振群ＩＳの小径化と防振時性能を両立するために、防振群ＩＳの焦点距離ｆｉｓと第３レンズ群Ｌ３の焦点距離ｆ３を規定している。
【００８１】
条件式（９）の上限値を超えて、防振群ＩＳの焦点距離ｆｉｓが短くなると、防振群ＩＳの屈折力が強くなりすぎ、防振時に発生するコマ収差や像面湾曲変動を抑制することが困難になる。
【００８２】
また、条件式（９）の上限値を超えて、第３レンズ群Ｌ３の焦点距離ｆ３が長くなると、第３レンズ群Ｌ３の屈折力が弱くなり、ズーム変倍作用が小さくなることで、レンズ全長が大型化してしまう。
【００８３】
条件式（９）の下限値を超えて、防振群ＩＳの焦点距離ｆｉｓが長くなると、防振群ＩＳの防振時の光軸に対して垂直に移動させる量を大きくしなければならず、ズームレンズＬ０の小型化が困難になる。
【００８４】
また、条件式（９）の下限値を超えて、第３レンズ群Ｌ３の焦点距離ｆ３が短くなると、第３レンズ群Ｌ３の屈折力が強くなりすぎ、球面収差とコマ収差が顕著に大きくなり、十分な光学性能を得ることが困難になる。
【００８５】
条件式（１０）は、防振群ＩＳの小型化と防振時性能を両立するために、防振群ＩＳの望遠端における横倍率βｉｓと、防振群ＩＳより像側より像側の全てのレンズ群の望遠端における合成横倍率βｒｔを規定している。条件式（１０）は、防振群ＩＳを光軸方向へ移動させた量に対する像面における像のシフト量を規定する偏芯敏感度である。
【００８６】
条件式（１０）の下限値を超えて、防振群ＩＳの偏芯敏感度が低くなると、防振群ＩＳの防振時の光軸に対して垂直に移動させる量が大きくなりすぎ、鏡筒径の小型化の目的を果たせなくなる。
【００８７】
条件式（１０）の上限値を超えて、防振群ＩＳの偏芯敏感度が高くなると、防振群ＩＳの防振時の光軸に対して垂直に移動させる量が小さくなり、防振群ＩＳの小型化には有利になるものの、防振時のコマ収差や像面湾曲変動が大きくなりすぎる。
【００８８】
また、各実施例において条件式（１）乃至条件式（１０）の数値範囲をそれぞれ、以下の条件式（１ａ）乃至条件式（１０ａ）の範囲とすることが好ましい。
【００８９】
０．２＜ｆ２２／（ｆ３×ｆ４）＜０．５               （１ａ）
２．０＜β４ｔ／β４ｗ＜９．５                      （２ａ）
−１．３＜ｆ２／ｆｗ＜−０．６                      （３ａ）
２．８＜ｆ１／ｆｗ＜８．０                          （４ａ）
０．１５＜ｆ４／ｆｔ＜０．６５                      （５ａ）
４．０＜ＴＴＤｗ／ｓｋｗ＜１７．０                  （６ａ）
０．４＜ｍ３／ｍ４＜０．９                          （７ａ）
１．８＜ｆ３／ｆｗ＜６．０                          （８ａ）
−５．０＜ｆｉｓ／ｆ３＜−０．６                    （９ａ）
−２．００＜（１−βｉｓｔ）βｒｔ＜−０．３７      （１０ａ）
また、各実施例において条件式（１）乃至条件式（１０）の数値範囲をそれぞれ、以下の条件式（１ｂ）乃至条件式（１０ｂ）の範囲とすることがさらに好ましい。
【００９０】
０．２１＜ｆ２２／（ｆ３×ｆ４）＜０．３５          （１ｂ）
２．３０＜β４ｔ／β４ｗ＜９．１０                  （２ｂ）
−１．２＜ｆ２／ｆｗ＜−０．５                      （３ｂ）
３．２＜ｆ１／ｆｗ＜７．５                          （４ｂ）
０．２＜ｆ４／ｆｔ＜０．６                          （５ｂ）
６．０＜ＴＴＤｗ／ｓｋｗ＜１５．０                  （６ｂ）
０．６０＜ｍ３／ｍ４＜０．８５                      （７ｂ）
２．２＜ｆ３／ｆｗ＜４．０                          （８ｂ）
−２．５＜ｆｉｓ／ｆ３＜−０．８                    （９ｂ）
−１．５＜（１−βｉｓｔ）βｒｔ＜−０．４          （１０ｂ）
また、防振時の色収差の抑制をするために、防振群ＩＳは負レンズと正レンズをそれぞれ１枚以上有することが望ましい。また、防振群ＩＳの小型化と防振時の色収差変動とコマ収差、像面湾曲変動の抑制の観点から、防振群ＩＳに収斂して入射する光線を負レンズにより略平行光に近づけることが好ましい。そのため、防振群ＩＳの構成を物体側から像側へ順に負レンズと正レンズの２枚構成とすることがよい。２枚のレンズ群は、防振群ＩＳ群の簡素化ために接合レンズであることがより好ましい。
【００９１】
また、ズームレンズＬ０を小型化しつつ広画角で高いズーム比を得るには、第１レンズ群Ｌ１のレンズ枚数が少ないほどよい。これにより、第１レンズ群Ｌ１を通る軸外光束の入射高さが低くなり、第１レンズ群Ｌ１の有効径を小さくすることができる。そのため、各実施例では、第１レンズ群Ｌ１のレンズ枚数を３枚以下にすることが好ましい。
【００９２】
また、第２レンズ群Ｌ２は、広画角化を図るために、物体側より像側へ順に２枚の負レンズと、１枚の正レンズを有することが好ましい。第２レンズ群Ｌ２を負の屈折力とし、広画角化を容易にしている。
【００９３】
また、本発明によれば、後群ＬＲの屈折力を適切に設定することによって軸外諸収差、特に非点収差・歪曲収差を良好に補正している。更に、広画角化及び高ズーム比化を図った際の球面収差、コマ収差の補正を効果的に行っている。
【００９４】
各実施例では以上説明したように各要素を構成することで、レンズ全長の短縮化及びレンズ鏡筒径の小型化を図りつつ、高い防振性能を有するズームレンズを得ている。
【００９５】
以下に、実施例１乃至７にそれぞれ対応する数値実施例１乃至７を示す。各数値実施例の面データにおいて、ｒは各光学面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のアッベ数を表わしている。なお、ある材料のアッベ数νｄは、フラウンホーファ線のｄ線（５８７．６ｎｍ）、Ｆ線（４８６．１ｎｍ）、Ｃ線（６５６．３ｎｍ）、ｇ線（波長４３５．８ｎｍ）における屈折率をＮｄ、ＮＦ、ＮＣ、Ｎｇとするとき、
νｄ＝（Ｎｄ−１）／（ＮＦ−ＮＣ）
で表される。
【００９６】
なお、各数値実施例において、ｄ、焦点距離（ｍｍ）、Ｆナンバー、半画角（度）は全て各実施例の光学系が無限遠物体に焦点を合わせた時の値である。「バックフォーカス」は、レンズ最終面（最も像側のレンズ面）から近軸像面までの光軸上の距離を空気換算長により表記したものである。「レンズ全長」は、ズームレンズの最前面（最も物体側のレンズ面）から最終面までの光軸上の距離にバックフォーカスを加えた長さである。「レンズ群」は、複数のレンズから構成される場合に限らず、１枚のレンズから構成される場合も含むものとする。
【００９７】
また、光学面が非球面の場合は、面番号の右側に、＊の符号を付している。非球面形状は、Ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２を各次数の非球面係数とするとき、
ｘ＝（ｈ2／Ｒ）／［１＋｛１−（１＋ｋ）（ｈ／Ｒ）2｝1/2 ＋Ａ４×ｈ4＋Ａ６×ｈ6
＋Ａ８×ｈ8＋Ａ１０×ｈ10＋Ａ１２×ｈ12
で表している。なお、各非球面係数における「ｅ±ＸＸ」は「×１０±ＸＸ」を意味している。
［数値実施例1］
単位 mm
面データ
面番号       r        d      nd         vd
1        211.125    2.10   1.80810    22.8           
2         80.660    6.03   1.77250    49.6           
3        248.854    0.15                             
4         57.558    6.97   1.77250    49.6           
5        160.440  (可変)                             
6         66.217    1.40   1.88300    40.8           
7         18.113    8.41                             
8       -206.710    1.20   1.61800    63.4           
9         22.688    4.36   1.85478    24.8           
10         79.196    4.20                             
11        -35.317    1.20   1.58313    59.4           
12*      -312.513    0.43                             
13        910.041    5.47   1.59270    35.3           
14        -19.928    1.10   1.88300    40.8           
15        -47.138  (可変)                             
16(絞り)    ∞       0.40                             
17         81.194    4.45   1.83481    42.7           
18        -54.244    0.15                             
19         41.217    7.25   1.49700    81.5           
20        -32.257    1.10   2.00069    25.5           
21       -293.896    2.41                             
22*       -71.464    1.75   1.76802    49.2           
23         64.990    1.91   1.80810    22.8           
24        199.742  (可変)                             
25         30.855    6.56   1.59522    67.7           
26        -85.643    0.35                             
27         38.493    1.20   1.73800    32.3           
28         22.868    7.83   1.53775    74.7           
29        -71.877    0.15                             
30*     -4310.465    1.70   1.85400    40.4           
31*       109.508  (可変)                             
32         53.194    0.90   1.80400    46.6           
33         22.891  (可変)                             
34*       -42.821    1.70   1.58313    59.4           
35*     -2156.781    0.15                             
36        344.261    3.20   2.00100    29.1           
37        -88.670  (可変)                             
像面        ∞   
非球面データ
第12面
K = 0.00000e+000  A 4=-5.69442e-006  A 6=-2.29053e-009  A 8=-4.72363e-011  A10= 4.65343e-013  A12=-1.99227e-015  
第22面
K = 0.00000e+000  A 4= 1.87606e-006  A 6= 1.45872e-009  A 8= 2.78338e-011  A10=-2.10980e-013  A12= 3.98590e-016  
第30面
K = 0.00000e+000  A 4=-2.01869e-005  A 6= 6.17344e-008  A 8=-2.64177e-010  A10=-2.98832e-013  A12= 2.64092e-015  
第31面
K = 0.00000e+000  A 4= 1.63774e-006  A 6= 9.32838e-008  A 8=-2.34772e-010  A10=-7.39973e-013  A12= 4.51086e-015  
第34面
K = 0.00000e+000  A 4=-2.51719e-005  A 6= 1.25180e-007  A 8=-5.32709e-010  A10= 5.08044e-013  A12= 7.30860e-016  
第35面
K = 0.00000e+000  A 4=-2.60571e-005  A 6= 1.26402e-007  A 8=-6.23562e-010  A10= 1.45147e-012  A12=-1.39940e-015  
各種データ
ズーム比      2.74 
広角     中間     望遠
焦点距離      24.72    43.75    67.65  
Fナンバー      2.91     2.91     2.91  
半画角        41.19    26.31    17.74  
像高          21.64    21.64    21.64  
レンズ全長   144.34   158.19   172.04  
BF            14.31    25.73    35.97  
d 5            0.80    17.81    28.91  
d15           16.54     8.10     2.46  
d24           11.55     5.41     3.56  
d31            2.38     1.11     0.91  
d33           12.58    13.85    14.04  
d37           14.31    25.73    35.97  
ズームレンズ群データ
群  始面    焦点距離  
1    1     110.39  
2    6     -18.97  
3   16      57.70  
4   25      28.23  
5   32     -50.65  
6   34     783.07  
［数値実施例2］
単位 mm
面データ
面番号       r        d      nd         vd
1        161.515    2.10   1.80809    22.8           
2         79.872    6.59   1.77250    49.6           
3        333.053    0.15                             
4         54.361    6.22   1.72916    54.7           
5        156.778  (可変)                             
6        130.015    1.35   1.88300    40.8           
7         18.616    9.25                             
8        -89.388    1.30   1.53775    74.7           
9         23.767    4.12   1.85478    24.8           
10         60.588    4.64                             
11        -65.476    2.66   1.88300    40.8           
12        -32.068    0.69                             
13        -26.771    1.35   1.76802    49.2           
14*       -50.891  (可変)                             
15(絞り)    ∞       0.40                             
16         91.577    2.48   1.88300    40.8           
17       -304.082    0.15                             
18         37.554    8.52   1.49700    81.5           
19        -28.731    1.40   1.95375    32.3           
20        -63.707    1.02                             
21*       -96.704    1.90   1.76802    49.2           
22         65.000    1.78   1.90366    31.3           
23        132.291  (可変)                             
24         27.626    6.95   1.49700    81.5           
25       -102.616    0.35                             
26         83.438    3.31   1.59522    67.7           
27        -92.579    0.15                             
28         74.322    5.83   1.53775    74.7           
29        -29.356    1.45   1.85400    40.4           
30*      10000.000  (可変)                             
31         69.619    0.88   1.95375    32.3           
32         26.524  (可変)                             
33*       -44.805    1.70   1.58313    59.4           
34*     -3044.392    0.15                             
35       -500.000    3.83   2.00069    25.5           
36        -56.199  (可変)                             
像面        ∞   
非球面データ
第14面
K = 0.00000e+000  A 4=-3.55372e-006  A 6=-4.44156e-009  A 8= 2.42864e-011  A10=-2.55074e-013  A12= 5.39868e-016  
第21面
K = 0.00000e+000  A 4= 1.70448e-006  A 6= 2.73805e-010  A 8= 3.65782e-011  A10=-2.55152e-013  A12= 4.67611e-016  
第30面
K = 0.00000e+000  A 4= 2.15407e-005  A 6= 3.68704e-010  A 8= 1.79757e-010  A10=-8.43371e-013  A12= 2.53994e-015  
第33面
K = 0.00000e+000  A 4=-3.02830e-005  A 6= 4.59403e-008  A 8=-1.39878e-010  A10=-1.16192e-012  A12= 2.72442e-015  
第34面
K = 0.00000e+000  A 4=-3.07871e-005  A 6= 8.23526e-008  A 8=-3.67006e-010  A10= 5.94084e-013  A12=-2.60605e-016  
各種データ
ズーム比      2.75 
広角     中間     望遠
焦点距離      24.72    44.00    67.90  
Fナンバー      2.91     2.91     2.91  
半画角        41.19    26.18    17.67  
像高          21.64    21.64    21.64  
レンズ全長   145.95   153.27   160.58  
BF            12.45    26.49    31.69  
d 5            0.80    14.02    22.83  
d14           22.28     9.96     2.40  
d23           11.13     5.98     3.38  
d30            3.14     1.60     1.50  
d32           13.48    12.55    16.12  
d36           12.45    26.49    31.69  
ズームレンズ群データ
群  始面    焦点距離  
1    1      90.00  
2    6     -20.93  
3   15      68.32  
4   24      30.32  
5   31     -45.38  
6   33     267.26  
［数値実施例3］
単位 mm
面データ
面番号       r        d      nd         vd
1        200.000    2.10   1.80809    22.8           
2         79.285    7.12   1.77250    49.6           
3        418.295    0.15                             
4         51.172    6.46   1.72916    54.7           
5        115.687  (可変)                             
6        104.876    1.35   1.88300    40.8           
7         18.183   10.29                             
8        -78.319    1.30   1.53775    74.7           
9         25.899    4.28   1.85478    24.8           
10         78.908    3.85                             
11        245.224    4.38   1.88300    40.8           
12        -43.197    1.35   1.76802    49.2           
13*       182.315  (可変)                             
14(絞り)    ∞       0.40                             
15         52.693    2.82   1.88300    40.8           
16        333.826    0.15                             
17         40.931    9.18   1.49700    81.5           
18        -29.811    1.40   1.95375    32.3           
19       -115.074    1.02                             
20*      -202.910    1.90   1.76802    49.2           
21         65.000    1.56   1.90366    31.3           
22        107.749  (可変)                             
23         27.055    7.30   1.49700    81.5           
24        -86.200    0.15                             
25         78.034    3.24   1.59522    67.7           
26       -103.467    0.15                             
27         84.902    4.37   1.53775    74.7           
28        -38.525    1.45   1.85400    40.4           
29*     -1848.701  (可変)                             
30         37.828    0.88   1.95375    32.3           
31         21.967  (可変)                             
32        218.008    4.67   1.66680    33.0           
33        -40.214    1.70   1.55332    71.7           
34*        55.356  (可変)                             
像面        ∞   
非球面データ
第13面
K = 0.00000e+000  A 4=-2.73965e-006  A 6=-1.69162e-009  A 8=-2.49633e-011  A10= 3.44870e-014  A12=-9.82913e-017  
第20面
K = 0.00000e+000  A 4= 1.56342e-006  A 6= 4.17422e-009  A 8= 1.65347e-011  A10=-3.31421e-013  A12= 8.61220e-016  
第29面
K = 0.00000e+000  A 4= 2.39106e-005  A 6= 2.07325e-008  A 8= 5.03201e-011  A10= 9.52529e-014  A12= 4.59360e-016  
第34面
K = 0.00000e+000  A 4=-6.17719e-006  A 6=-4.13751e-009  A 8=-5.99556e-011  A10= 2.95904e-013  A12=-5.94251e-016  
各種データ
ズーム比      2.75 
広角     中間     望遠
焦点距離      24.72    42.99    67.89  
Fナンバー      2.91     2.91     2.91  
半画角        41.19    26.72    17.67  
像高          21.64    21.64    21.64  
レンズ全長   145.95   154.51   163.06  
BF            17.52    24.59    30.66  
d 5            0.80    15.29    26.19  
d13           23.36    12.52     4.66  
d22            7.61     3.55     1.51  
d29            2.82     1.60     1.50  
d31            8.87    11.97    13.57  
d34           17.52    24.59    30.66  
ズームレンズ群データ
群  始面    焦点距離  
1    1     100.55  
2    6     -22.21  
3   14      79.75  
4   23      28.50  
5   30     -56.46  
6   32    -250.65  
［数値実施例4］
単位 mm
面データ
面番号       r        d      nd         vd
1        180.824    2.10   1.80809    22.8           
2         85.891    5.95   1.77250    49.6           
3        376.338    0.15                             
4         57.750    5.66   1.72916    54.7           
5        121.459  (可変)                             
6        107.116    1.35   1.88300    40.8           
7         18.976    9.66                             
8        -74.468    1.30   1.53775    74.7           
9         22.631    4.30   1.85478    24.8           
10         52.540    2.08                             
11         61.952    2.28   1.88300    40.8           
12        205.264  (可変)                             
13(絞り)    ∞       0.40                             
14         63.944    2.58   1.88300    40.8           
15        242.963    0.15                             
16         32.864    5.51   1.49700    81.5           
17        -26.177    1.40   1.95375    32.3           
18       -152.899    1.26                             
19*      -254.605    1.20   1.76802    49.2           
20         65.000    0.00                             
21         65.000    1.63   1.76182    26.5           
22        336.267  (可変)                             
23         35.515    5.72   1.49700    81.5           
24        -32.768    0.15                             
25         92.018    3.02   1.49700    81.5           
26        -47.866    1.20   1.85400    40.4           
27*       -69.489  (可変)                             
28         39.516    0.88   1.95375    32.3           
29         19.940  (可変)                             
30         32.993    4.92   1.69895    30.1           
31        112.565    1.70   1.55332    71.7           
32*        21.166  (可変)                             
像面        ∞   
非球面データ
第19面
K = 0.00000e+000  A 4= 8.46983e-007  A 6=-2.67211e-009  A 8= 2.35466e-010  A10=-2.95314e-012  A12= 1.05704e-014  
第27面
K = 0.00000e+000  A 4= 2.15030e-005  A 6=-1.26345e-008  A 8= 1.98666e-010  A10=-1.31987e-012  A12= 3.82284e-015  
第32面
K = 0.00000e+000  A 4=-2.40648e-005  A 6=-1.36335e-009  A 8=-6.57029e-011  A10= 1.11094e-013  A12=-4.19164e-016  
各種データ
ズーム比      4.13 
広角     中間     望遠
焦点距離      24.72    53.96   102.00  
Fナンバー      4.12     4.12     4.12  
半画角        41.19    21.85    11.98  
像高          21.64    21.64    21.64  
レンズ全長   133.43   152.26   171.08  
BF            18.51    32.77    43.74  
d 5            0.80    23.06    41.96  
d12           26.96    12.42     2.40  
d22            7.90     4.36     3.25  
d27            6.20     3.16     1.50  
d29            6.51     9.93    11.69  
d32           18.51    32.77    43.74  
ズームレンズ群データ
群  始面    焦点距離  
1    1     113.35  
2    6     -27.36  
3   13      95.41  
4   23      26.70  
5   28     -43.15  
6   30    -250.35  
［数値実施例5］
単位 mm
面データ
面番号       r        d      nd         vd
1        200.000    2.10   1.80809    22.8           
2         92.909    5.94   1.77250    49.6           
3        369.700    0.15                             
4         58.021    7.51   1.72916    54.7           
5        167.674  (可変)                             
6        206.797    1.35   1.88300    40.8           
7         18.816    9.65                             
8       -106.150    1.30   1.53775    74.7           
9         25.609    6.02   1.85478    24.8           
10         70.006    2.45                             
11       -221.640    2.95   1.85400    40.4           
12*       -99.731  (可変)                             
13(絞り)    ∞       0.40                             
14         49.441    3.72   1.88300    40.8           
15        163.827    0.15                             
16         37.488    8.23   1.49700    81.5           
17        -30.900    1.40   1.95375    32.3           
18        -95.459    1.02                             
19*      -155.610    1.90   1.76802    49.2           
20         65.000    1.71   1.90366    31.3           
21        123.887  (可変)                             
22         28.654    6.65   1.49700    81.5           
23        -77.933    0.15                             
24         72.759    3.04   1.59522    67.7           
25       -105.134    0.15                             
26         58.408    5.30   1.53775    74.7           
27        -29.821    1.45   1.85400    40.4           
28*       168.702  (可変)                             
29        100.707    1.90   1.88300    40.8           
30       -200.000    0.90   1.72493    43.3           
31         22.011  (可変)                             
32        -30.000    2.00   1.58313    59.4           
33*       -53.407  (可変)                             
34      -1263.205    3.58   2.05090    26.9           
35        -69.134  (可変)                             
像面        ∞   
非球面データ
第12面
K = 0.00000e+000  A 4=-3.32723e-006  A 6=-8.11631e-009  A 8= 3.31457e-011  A10=-2.01651e-013  A12= 3.05887e-016  
第19面
K = 0.00000e+000  A 4= 1.51660e-006  A 6=-6.19820e-009  A 8= 1.09651e-010  A10=-7.26807e-013  A12= 1.58997e-015  
第28面
K = 0.00000e+000  A 4= 2.27530e-005  A 6=-2.75454e-010  A 8= 5.08670e-010  A10=-3.58809e-012  A12= 1.05766e-014  
第33面
K = 0.00000e+000  A 4=-3.65611e-006  A 6=-7.97771e-009  A 8=-1.77502e-011  A10= 8.82983e-014  A12=-3.07075e-016  
各種データ
ズーム比      2.75 
広角     中間     望遠
焦点距離      24.72    44.00    67.90  
Fナンバー      2.91     2.91     2.91  
半画角        41.19    26.18    17.67  
像高          21.64    21.64    21.64  
レンズ全長   147.28   154.72   162.16  
BF            10.83    15.81    20.79  
d 5            0.80    16.33    26.39  
d12           27.84    14.26     5.01  
d21            7.70     3.34     1.65  
d28            2.45     1.60     1.81  
d31           13.79    17.76    18.44  
d33            0.80     2.55     5.00  
d35           10.83    15.81    20.79  
ズームレンズ群データ
群  始面    焦点距離  
1    1     100.55  
2    6     -23.82  
3   13      73.64  
4   22      30.68  
5   29     -43.61  
6   32    -121.20  
7   34      69.49  
［数値実施例6］
単位 mm
面データ
面番号       r        d      nd         vd
1        163.747    2.10   1.80809    22.8           
2         76.393    6.66   1.77250    49.6           
3        314.611    0.15                             
4         54.215    6.25   1.72916    54.7           
5        163.896  (可変)                             
6        110.644    1.35   1.88300    40.8           
7         18.492    9.51                             
8        -66.950    1.30   1.53775    74.7           
9         24.452    3.92   1.85478    24.8           
10         69.659    3.89                             
11        -87.715    2.80   1.88300    40.8           
12        -33.772    0.67                             
13        -27.851    1.35   1.76802    49.2           
14*       -66.782  (可変)                             
15(絞り)    ∞       0.40                             
16         77.594    2.67   1.88300    40.8           
17       -350.928    0.15                             
18         40.469    7.90   1.49700    81.5           
19        -30.926    1.40   1.95375    32.3           
20        -75.206    1.02                             
21*      -136.054    1.90   1.76802    49.2           
22         46.997    1.47   1.90366    31.3           
23         62.061    1.50                             
24         56.911    2.32   1.53775    74.7           
25        190.495  (可変)                             
26         28.522    7.27   1.49700    81.5           
27        -98.413    0.35                             
28         52.030    4.03   1.59522    67.7           
29       -140.294    0.15                             
30        140.912    4.93   1.53775    74.7           
31        -34.429    1.45   1.85400    40.4           
32*      10000.000  (可変)                             
33         55.873    0.88   1.95375    32.3           
34         24.522  (可変)                             
35*       -46.075    1.70   1.58313    59.4           
36*     -3044.392    0.15                             
37       -500.000    3.50   2.00069    25.5           
38        -61.899  (可変)                             
像面        ∞   
非球面データ
第14面
K = 0.00000e+000  A 4=-3.09311e-006  A 6=-6.65217e-009  A 8= 7.68245e-011  A10=-6.17793e-013  A12= 1.41111e-015  
第21面
K = 0.00000e+000  A 4= 1.04987e-006  A 6= 2.57585e-009  A 8= 1.19022e-011  A10=-1.58862e-013  A12= 3.31359e-016  
第32面
K = 0.00000e+000  A 4= 2.12494e-005  A 6=-4.06724e-009  A 8= 1.71519e-010  A10=-8.20748e-013  A12= 2.23488e-015  
第35面
K = 0.00000e+000  A 4=-1.88097e-005  A 6=-7.50395e-008  A 8= 2.69885e-010  A10=-3.87404e-013  A12=-3.53425e-015  
第36面
K = 0.00000e+000  A 4=-2.16693e-005  A 6=-4.38370e-008  A 8= 2.90076e-010  A10=-1.04223e-012  A12= 8.31587e-016  
各種データ
ズーム比      2.75 
広角     中間     望遠
焦点距離      24.72    44.00    67.89  
Fナンバー      2.91     2.91     2.91  
半画角        41.19    26.18    17.67  
像高          21.64    21.64    21.64  
レンズ全長   145.95   153.98   162.01  
BF            11.81    25.49    32.56  
d 5            0.80    13.68    22.79  
d14           21.38     9.79     2.40  
d25           10.26     5.13     2.92  
d32            3.26     1.60     1.52  
d34           13.34    13.18    14.72  
d38           11.81    25.49    32.56  
ズームレンズ群データ
群  始面    焦点距離  
1    1      90.00  
2    6     -20.43  
3   15      64.24  
4   26      30.65  
5   33     -46.46  
6   35     428.91  
［数値実施例７］
単位 mm
面データ
面番号       r        d      nd         vd
1         67.006    2.10   1.95906    17.5           
2         60.331    9.01   1.59522    67.7           
3        198.540  (可変)                             
4         59.070    1.35   1.88300    40.8           
5         18.104    9.02                             
6       -216.041    1.30   1.53775    74.7           
7         25.192    4.55   1.85478    24.8           
8         60.145    2.45                             
9        -86.799    3.31   1.77057    44.1           
10        -33.649    0.97                             
11        -26.699    1.35   1.76802    49.2           
12*       -62.122  (可変)                             
13(絞り)    ∞       0.40                             
14         57.862    3.64   1.88300    40.8           
15       -153.541    0.15                             
16         42.763    7.57   1.49700    81.5           
17        -36.569    1.40   1.95375    32.3           
18      -1769.678    2.16                             
19*      -123.208    1.90   1.76802    49.2           
20         45.450    0.00                             
21         45.450    2.69   1.83481    42.7           
22        139.787  (可変)                             
23         29.547    6.92   1.49700    81.5           
24        -85.458    0.35                             
25         59.720    4.44   1.59522    67.7           
26        -59.673    0.15                             
27       -173.304    7.74   1.53775    74.7           
28        -18.458    1.45   1.85400    40.4           
29*       405.638    0.15                             
30         21.790    3.35   1.71219    60.6           
31         23.273   11.55                             
32*       -18.346    1.70   1.65793    49.8           
33*       -73.971    0.15                             
34       -500.000    5.02   2.05090    26.9           
35        -46.069  (可変)                             
像面        ∞   
非球面データ
第12面
K = 0.00000e+000  A 4=-4.89176e-006  A 6=-1.89448e-008  A 8= 1.42066e-010  A10=-8.42108e-013  A12= 1.77119e-015  
第19面
K = 0.00000e+000  A 4= 1.50785e-006  A 6=-1.41761e-009  A 8= 1.89887e-011  A10=-1.18817e-013  A12= 2.50179e-016  
第29面
K = 0.00000e+000  A 4= 5.25648e-006  A 6=-5.61156e-008  A 8= 1.99826e-010  A10=-2.39535e-012  A12= 4.13183e-015  
第32面
K = 0.00000e+000  A 4=-5.62391e-005  A 6= 1.35545e-007  A 8=-1.56451e-009  A10= 2.30257e-012  A12=-1.16786e-014  
第33面
K = 0.00000e+000  A 4=-3.23321e-005  A 6= 2.46379e-007  A 8=-1.19054e-009  A10= 4.12685e-012  A12=-5.89605e-015  
各種データ
ズーム比      2.75 
広角     中間     望遠
焦点距離      24.72    44.01    67.89  
Fナンバー      2.91     2.91     2.91  
半画角        41.19    26.18    17.68  
像高          21.64    21.64    21.64  
レンズ全長   140.65   159.45   178.25  
BF            11.03    22.11    33.33  
d 3            3.86    27.58    43.23  
d12           21.08     8.53     1.80  
d22            6.42     2.97     1.63  
d35           11.03    22.11    33.33  
ズームレンズ群データ
群  始面    焦点距離  
1    1     179.70  
2    4     -23.87  
3   13      67.81  
4   23      39.13  
【００９８】
【表１】
2020129065.tif 000003
【００９９】
［撮像装置］
次に、本発明のズームレンズを撮像光学系として用いたデジタルスチルカメラ（撮像装置）の実施例に関して図２９を用いて説明する。図２９は、本発明の撮像装置の要部概略図である。図２９において、１０はカメラ本体、１１は実施例１乃至７で説明したいずれかのズームレンズによって構成された撮像光学系である。１２はカメラ本体に内蔵され、撮像光学系１１によって形成された光学像を受光して光電変換するＣＣＤセンサやＣＭＯＳセンサ等の固体撮像素子（光電変換素子）である。カメラ本体１０はクイックターンミラーを有する所謂一眼レフカメラでもよいし、クイックターンミラーを有さない所謂ミラーレスカメラでもよい。
【０１００】
このように本発明のズームレンズをデジタルスチルカメラ等の撮像装置に適用することにより、全長とレンズ系が小型で、高いフォーカス性能を有する撮像装置を得ることができる。
［撮像システム］
なお、各実施例のズームレンズと、ズームレンズを制御する制御部とを含めた撮像システム（監視カメラシステム）を構成してもよい。この場合、制御部は、ズーミングやフォーカシング、像ブレ補正に際して各レンズ群が上述したように移動するようズームレンズを制御することができる。このとき、制御部がズームレンズと一体的に構成されている必要はなく、制御部をズームレンズとは別体として構成してもよい。例えば、ズームレンズの各レンズを駆動する駆動部に対して遠方に配置された制御部（制御装置）が、ズームレンズを制御するための制御信号（命令）を送る送信部を備える構成を採用してもよい。このような制御部によれば、ズームレンズを遠隔操作することができる。
【０１０１】
また、ズームレンズを遠隔操作するためのコントローラーやボタンなどの操作部を制御部に設けることで、ユーザーの操作部への入力に応じてズームレンズを制御する構成を採ってもよい。例えば、操作部として拡大ボタン及び縮小ボタンを設け、ユーザーが拡大ボタンを押したらズームレンズの倍率が大きくなり、ユーザーが縮小ボタンを押したらズームレンズの倍率が小さくなるように、制御部からズームレンズの駆動部に信号が送られるように構成すればよい。
【０１０２】
また、撮像システムは、ズームレンズのズームに関する情報（移動状態）を表示する液晶パネルなどの表示部を有していてもよい。ズームレンズのズームに関する情報とは、例えばズーム倍率（ズーム状態）や各レンズ群の移動量（移動状態）である。この場合、表示部に示されるズームレンズのズームに関する情報を見ながら、操作部を介してユーザーがズームレンズを遠隔操作することができる。このとき、例えばタッチパネルなどを採用することで表示部と操作部とを一体化してもよい。
【０１０３】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【０１０４】
Ｌ０  ズームレンズ
Ｌ１  第１レンズ群
Ｌ２  第２レンズ群
Ｌ３  第３レンズ群
Ｌ４  第４レンズ群
ＩＳ  防振群（部分群）
【図１】
2020129065.tif 000004
【図２】
2020129065.tif 000005
【図３】
2020129065.tif 000006
【図４】
2020129065.tif 000007
【図５】
2020129065.tif 000008
【図６】
2020129065.tif 000009
【図７】
2020129065.tif 000010
【図８】
2020129065.tif 000011
【図９】
2020129065.tif 000012
【図１０】
2020129065.tif 000013
【図１１】
2020129065.tif 000014
【図１２】
2020129065.tif 000015
【図１３】
2020129065.tif 000016
【図１４】
2020129065.tif 000017
【図１５】
2020129065.tif 000018
【図１６】
2020129065.tif 000019
【図１７】
2020129065.tif 000020
【図１８】
2020129065.tif 000021
【図１９】
2020129065.tif 000022
【図２０】
2020129065.tif 000023
【図２１】
2020129065.tif 000024
【図２２】
2020129065.tif 000025
【図２３】
2020129065.tif 000026
【図２４】
2020129065.tif 000027
【図２５】
2020129065.tif 000028
【図２６】
2020129065.tif 000029
【図２７】
2020129065.tif 000030
【図２８】
2020129065.tif 000031
【図２９】
2020129065.tif 000032